(57)【要約】【課題】ヘッドホンコネクタのヘッドホン検出端子が剥離したりして接触が悪くなって外部ヘッドホンの接続を検出できない状態に陥っても、外部ヘッドホンを接続した場合に外部ヘッドホンからはユーザの意志に反した大音量の音声が出力されることのないオーディオ機器及び携帯電話を提供する。【解決手段】音楽再生端末１２０にて音楽を聴いている状況においては、駆動能力の低い増幅器１２Ｂを優先的に使用するようにしたので、ヘッドホン検出端子１０９ｃに接触不良が発生している状態で外部ヘッドホン１３０が接続されても、制御部１１が無線伝送を検出しているので、増幅器１２Ｂから増幅器１２Ａに切替わることがなく、外部ヘッドホン１３０からはユーザの意志に反した大音量の音声が出力されることがない。【選択図】図１
2008098740.tif 000002
【特許請求の範囲】
【請求項１】
ディジタル音楽データをアナログ変換し、該アナログ変換後の音楽データを、増幅部を介してヘッドホンコネクタに出力する手段と、前記増幅部で増幅された音楽データをディジタル変換した後、無線伝送により送信する手段と、を備えるオーディオ機器において、
無線伝送状態を検出し、前記無線伝送を検出した場合は、無線伝送無しの場合よりも前記増幅部出力の駆動能力を低く設定し、前記無線伝送を検出しなかった場合は、無線伝送有りの場合よりも前記増幅部出力の駆動能力を高く設定する増幅部制御手段を備えるオーディオ機器。
【請求項２】
前記増幅部制御手段は、音楽データの無線伝送を検出すると、前記増幅部からの出力振幅レベルを高く設定する請求項１に記載のオーディオ機器。
【請求項３】
前記増幅部制御手段は、音楽データを再生している間に前記ヘッドホンコネクタに外部ヘッドホンが接続されたことを認識すると、前記増幅部出力の駆動能力を上げる請求項１又は請求項２に記載のオーディオ機器。
【請求項４】
ディジタル音楽データをアナログ変換し、該アナログ変換後の音楽データを、増幅部を介してヘッドホンコネクタに出力する手段と、前記増幅部で増幅された音楽データをディジタル変換した後、無線伝送により送信する手段と、を備える携帯電話において、
無線伝送状態を検出し、前記無線伝送を検出した場合は、無線伝送無しの場合よりも前記増幅部出力の駆動能力を低く設定し、前記無線伝送を検出しなかった場合は、無線伝送有りの場合よりも前記増幅部出力の駆動能力を高く設定する増幅部制御手段を備える携帯電話。
【請求項５】
前記増幅部制御手段は、音楽データの無線伝送を検出すると、前記増幅部からの出力振幅レベルを高く設定する請求項４に記載の携帯電話。
【請求項６】
前記増幅部制御手段は、音楽データを再生している間に前記ヘッドホンコネクタに外部ヘッドホンが接続されたことを認識すると、前記増幅部出力の駆動能力を上げる請求項４又は請求項５に記載の携帯電話。
【請求項７】
ディジタル音楽データをアナログ変換し、該アナログ変換後の音楽データを、増幅部を介してヘッドホンコネクタに出力するとともに、前記増幅部で増幅された音楽データをディジタル変換した後、無線伝送により送信するオーディオ機器又は携帯電話の増幅部駆動能力制御方法において、
無線伝送状態を検出し、前記無線伝送を検出した場合は、無線伝送無しの場合よりも前記増幅部出力の駆動能力を低く設定し、前記無線伝送を検出しなかった場合は、無線伝送有りの場合よりも前記増幅部出力の駆動能力を高く設定するオーディオ機器又は携帯電話の増幅部駆動能力制御方法。
【発明の詳細な説明】
【技術分野】
【０００１】
本発明は、ＣＤプレーヤ、ＭＤプレーヤなどのオーディオ機器及び携帯電話に関し、特に音楽データを無線伝送可能なオーディオ機器及び携帯電話に関する。
【背景技術】
【０００２】
従来、オーディオ機器には、これの音声出力端子に接続する機器に不用意に大きな音量レベルの信号を出力しないようにした技術が案出されている（例えば特許文献１、特許文献２参照）。特許文献１で開示された音声信号再生装置は、ヘッドホンがヘッドホンジャックに接続されるとともに、ヘッドホンへの音声入力レベルが所定の閾値を超える場合又は電子ボリウムの値が所定値を超える場合に、音量レベルを下げるようにして、ユーザの耳に不用意に音量レベルの高い音声が直撃するのを防止するようにしている。
【０００３】
一方、特許文献２で開示された音声出力回路は、比較的小さな抵抗値を有する機器に対する第１の音声信号を生成する第１音声信号生成回路と、比較的大きな抵抗値を有する機器に対する第２の音声信号を生成する第２音声信号生成回路と、外部音声出力端子に接続された機器の抵抗値を検出する検出回路と、検出回路によって検出された抵抗値に応じて第１の音声信号と第２の音声信号のうち、一方を選択して外部音声出力端子に出力するようにして、外部音声出力端子にスピーカに比べて比較的大きな抵抗値を有する機器が接続されても該機器の音声入力回路が過大信号によって破壊されないようにしている。
【０００４】
ところで、近年、Bluetooth（登録商標）などの近距離無線を利用して親機から音楽データを送信し、それを子機である音楽再生端末で再生するシステムが開発されている。図８は、その種のシステムである携帯電話の音楽データ処理系の概略構成を示すブロック図である。同図に示す従来の携帯電話９０は、親機である携帯電話本体１００と、子機である音楽再生端末１２０とから構成される。携帯電話本体１００は、制御部１０１、記憶媒体１０２、ディジタル・アナログ変換器（ＤＡＣ）１０３、増幅器（ＡＭＰ）１０４、アナログ・ディジタル変換器（ＡＤＣ）１０５、変調制御部１０６、Bluetoothモジュール１０７、アンテナ１０８及びヘッドホンコネクタ１０９を備えている。
【０００５】
記憶媒体１０２には符号化された音楽データが記憶されている。制御部１０１は、記憶媒体１０２に記憶された音楽データを読み出してデコード（復号）するデコード機能と、外部ヘッドホン１３０の接続を検出してミュートをかけるミュート機能を有している。ヘッドホンコネクタ１０９には、外部ヘッドホン１３０のスピーカ１３０ａの信号側と接続する信号端子１０９ａ、スピーカ１３０ａのグランド側と接続するグランド端子１０９ｂ及びヘッドホン検出端子１０９ｃが設けられている。ヘッドホン検出端子１０９ｃは、外部ヘッドホン１３０がヘッドホンコネクタ１０９に接続された際にグランド端子１０９ｂに接続される。このヘッドホン検出端子１０９ｃが接地されることで、制御部１０１が外部ヘッドホン１３０の接続を検出する。制御部１０１は、外部ヘッドホン１３０の接続を検出することで、増幅器１０４の増幅率を調整して出力を低下させる（ミュート機能）。
【０００６】
ディジタル・アナログ変換器１０３は、制御部１０１で復号された音楽データをアナログ変換して出力する。増幅器１０４は、ディジタル・アナログ変換器１０３からのアナログの音声信号を所定レベルまで増幅して出力する。増幅器１０４で増幅された音声信号は、アナログ・ディジタル変換器１０５に入力される。また、該音声信号は、外部ヘッドホン１３０がヘッドホンコネクタ１０９に接続されていた場合に外部ヘッドホン１３０にも入力される。増幅器１０４は、外部ヘッドホン１３０を十分に駆動することができる駆動能力の高い増幅器である。アナログ・ディジタル変換器１０５は、増幅器１０４からの音声信号をディジタル変換して音楽データとして出力する。なお、ＳＮ比（信号対雑音比）の値を大きくするため、制御部１０１は、増幅器１０４の出力振幅レベルを、外部ヘッドホン１３０で音楽を聴く場合より、高める制御を行う。
【０００７】
変調制御部１０６は、Bluetoothモジュール１０７を制御するものであり、アナログ・ディジタル変換器１０５からの音楽データを符号化して変調し、Bluetoothモジュール１０７に入力する。また、変調制御部１０６は、外部ヘッドホン１３０の接続を検出することで、音楽データの送信を停止する制御を行う。Bluetoothモジュール１０７では、例えば２．４ＧＨｚ帯の周波数が使用され、また変調方式にスペクトラム拡散方式（例えばＦＨ−ＳＳ（Frequency Hopping Spread Spectrum）方式）が使用される。Bluetoothモジュール１０７からの変調波信号はアンテナ１０８から送信される。
【０００８】
音楽再生端末１２０は、アンテナ１２１、Bluetoothモジュール１２２、復調制御部１２３、ディジタル・アナログ変換器（ＤＡＣ）１２４及び増幅器（ＡＭＰ）１２５を備えている。Bluetoothモジュール１２２は、アンテナ１２１を介して携帯電話本体１００のBluetoothモジュール１０７と無線通信を行い、携帯電話本体１００からの変調波信号を受信する。復調制御部１２３は、Bluetoothモジュール１２２で受信された変調波信号から音楽データを復調し、復号化する。ディジタル・アナログ変換器１２４は、復調制御部１２３で復号化された音楽データをアナログ変換して出力する。増幅器１２５は、ディジタル・アナログ変換器１２４からのアナログの音声信号を所定レベルまで増幅して出力する。増幅器１２５で増幅された音声信号はヘッドホン１４０へ出力される。
【０００９】
このような構成の従来の携帯電話９０において、記憶媒体１０２に記憶されている音楽データが制御部１０１によって読み出されて、ディジタル・アナログ変換器１０３でアナログ変換される。そして、増幅器１０４で増幅された後、アナログ・ディジタル変換器１０５でディジタル変換される。ディジタル変換された後、変調制御部１０６で符号化し変調されてBluetoothモジュール１０７からアンテナ１０８を介して送信される。送信された変調波信号は音楽再生端末１２０で受信されて音楽データが復調される。復調された音楽データは復号化され、アナログ変換された後、増幅器１２５で増幅されてヘッドホン１４０へ出力される。このように記憶媒体１０２に記憶されている音楽データが無線送信されて音楽再生端末１２０で再生され、再生された音声信号がヘッドホン１４０へ出力される。
【００１０】
そして、ヘッドホン１４０で音楽を聴いている最中に、外部ヘッドホン１３０が携帯電話本体１００のヘッドホンコネクタ１０９に誤って接続されると、ヘッドホンコネクタ１０９のヘッドホン検出端子１０９ｃが接地されて制御部１０１及び変調制御部１０６にて検出される。制御部１０１は、外部ヘッドホン１３０の接続を検出すると、増幅器１０４の増幅率を調整して出力を低下させる。一方、変調制御部１０６は、外部ヘッドホン１３０の接続を検出すると音楽データの送信を停止する。これにより、外部ヘッドホン１３０からのみ音声が出力され、しかも増幅器１０４の出力が絞られるが、タイムラグが発生するため、外部ヘッドホン１３０からは瞬間的に大音量の音声が出力されることになる。
【００１１】
【特許文献１】特開２００４−８０４９６号公報
【特許文献２】特開２００３−１７９４４１号公報
【発明の開示】
【発明が解決しようとする課題】
【００１２】
しかしながら、上述した従来の携帯電話９０においては、図９に示すようにヘッドホンコネクタ１０９のヘッドホン検出端子１０９ｃが剥離したりして接触が悪くなると、外部ヘッドホン１３０が誤って接続されてもそれを検出することができないので、増幅器１０４の増幅率調整が行われず、外部ヘッドホン１３０からはユーザの意志に反した音量（すなわち大音量）の音声が継続して出力されることになる。このため、外部ヘッドホン１３０のスピーカコイル１３１が断線したり、大音量によってユーザが耳を痛めたりする問題が生ずる。なお、この問題は携帯電話のみならず同様の構成を採るオーディオ機器においても同様に生ずる。
【００１３】
本発明は、係る事情に鑑みてなされたものであり、ヘッドホンコネクタのヘッドホン検出端子が剥離したりして接触が悪くなって外部ヘッドホンの接続を検出できない状態に陥っても、外部ヘッドホンを接続した場合に、外部ヘッドホンからはユーザの意志に反した大音量の音声が出力されることのないオーディオ機器及び携帯電話を提供することを目的とする。
【課題を解決するための手段】
【００１４】
上記目的は下記構成又は方法により達成される。
（１）  ディジタル音楽データをアナログ変換し、該アナログ変換後の音楽データを、増幅部を介してヘッドホンコネクタに出力する手段と、前記増幅部で増幅された音楽データをディジタル変換した後、無線伝送により送信する手段と、を備えるオーディオ機器において、無線伝送状態を検出し、前記無線伝送を検出した場合は、無線伝送無しの場合よりも前記増幅部出力の駆動能力を低く設定し、前記無線伝送を検出しなかった場合は、無線伝送有りの場合よりも前記増幅部出力の駆動能力を高く設定する増幅部制御手段を備える。
【００１５】
上記構成によれば、無線伝送状態を検出しており、ヘッドホンコネクタ内の外部ヘッドホンの接続を検出するためのヘッドホン検出端子が剥離したりして接触が悪くなった場合であっても、外部ヘッドホンをヘッドホンコネクタに接続した際、無線伝送状態が無しにならなので、増幅部出力の駆動能力は低く設定されることになる。これにより、外部ヘッドホンからはユーザの意志に反した大音量の音声が出力されることがない。すなわち、ヘッドホンコネクタ内の外部ヘッドホンの接続を検出するためのヘッドホン検出端子が剥離したりして接触が悪くなった状態で外部ヘッドホンを接続しても増幅部出力の駆動能力が高くならないので、外部ヘッドホンからはユーザの意志に反した大音量の音声が出力されることがない。したがって、外部ヘッドホンのスピーカコイルが断線したり、ユーザが耳を痛めたりすることがない。
【００１６】
（２）  上記（１）に記載のオーディオ機器において、前記増幅部制御手段は、音楽データの無線伝送を検出すると、前記増幅部からの出力振幅レベルを高く設定する。
【００１７】
上記構成によれば、音楽データの無線伝送状態を検出すると、増幅部からの出力振幅レベルを高めるので、ＳＮ比（信号対雑音比）の値を大きくできる。すなわち、単に増幅部出力の駆動能力を低くするだけでは増幅部の出力をディジタル変換する際にノイズの影響を受けることになる。そこで、出力振幅レベルを高めることでノイズの影響を低く抑えることができる。これにより、ノイズの少ない高音質の音楽データを伝送することが可能となる。
【００１８】
（３）  上記（１）又は（２）に記載のオーディオ機器において、前記増幅部制御手段は、音楽データを再生している間に前記ヘッドホンコネクタに外部ヘッドホンが接続されたことを認識すると、前記増幅部出力の駆動能力を上げる。
【００１９】
上記構成によれば、音楽データを再生している間にヘッドホンコネクタに外部ヘッドホンが接続されたことを認識すると、増幅部出力の駆動能力を上げるので、外部ヘッドホンを十分に駆動することができる。この場合はユーザが意志を持って外部ヘッドホンを使用するので、増幅部出力の駆動能力を上げても、事前にユーザが音量調整を行うことから、ユーザの意志に反した大音量の音声が出力されることがない。
【００２０】
（４）  ディジタル音楽データをアナログ変換し、該アナログ変換後の音楽データを、増幅部を介してヘッドホンコネクタに出力する手段と、前記増幅部で増幅された音楽データをディジタル変換した後、無線伝送により送信する手段と、を備える携帯電話において、無線伝送状態を検出し、前記無線伝送を検出した場合は、無線伝送無しの場合よりも前記増幅部出力の駆動能力を低く設定し、前記無線伝送を検出しなかった場合は、無線伝送有りの場合よりも前記増幅部出力の駆動能力を高く設定する増幅部制御手段を備える。
【００２１】
上記構成によれば、上記オーディオ機器と同様に、無線伝送状態を検出しており、ヘッドホンコネクタ内の外部ヘッドホンの接続を検出するためのヘッドホン検出端子が剥離したりして接触が悪くなった場合であっても、外部ヘッドホンをヘッドホンコネクタに接続した際、無線伝送状態が無しにならなので、増幅部出力の駆動能力は低く設定されることになる。これにより、外部ヘッドホンからはユーザの意志に反した大音量の音声が出力されることがない。すなわち、ヘッドホンコネクタ内の外部ヘッドホンの接続を検出するためのヘッドホン検出端子が剥離したりして接触が悪くなった状態で外部ヘッドホンを接続しても増幅部出力の駆動能力が高くならないので、外部ヘッドホンからはユーザの意志に反した大音量の音声が出力されることがない。したがって、外部ヘッドホンのスピーカコイルが断線したり、ユーザが耳を痛めたりすることがない。
【００２２】
（５）  上記（４）に記載の携帯電話において、前記増幅部制御手段は、音楽データの無線伝送を検出すると、前記増幅部からの出力振幅レベルを高く設定する。
【００２３】
上記構成によれば、上記オーディオ機器と同様に、音楽データの無線伝送状態を検出すると、増幅部からの出力振幅レベルを高めるので、ＳＮ比（信号対雑音比）の値を大きくできる。すなわち、単に増幅部出力の駆動能力を低くするだけでは増幅部の出力をディジタル変換する際にノイズの影響を受けることになる。そこで、出力振幅レベルを高めることでノイズの影響を低く抑えることができる。これにより、ノイズの少ない高音質の音楽データを伝送することが可能となる。
【００２４】
（６）  上記（４）又は（５）に記載の携帯電話において、前記増幅部制御手段は、音楽データを再生している間に前記ヘッドホンコネクタに外部ヘッドホンが接続されたことを認識すると、前記増幅部出力の駆動能力を上げる。
【００２５】
上記構成によれば、上記オーディオ機器と同様に、音楽データを再生している間にヘッドホンコネクタに外部ヘッドホンが接続されたことを認識すると、増幅部出力の駆動能力を上げるので、外部ヘッドホンを十分に駆動することができる。この場合はユーザが意志を持って外部ヘッドホンを使用するので、増幅部出力の駆動能力を上げても、事前にユーザが音量調整を行うことから、ユーザの意志に反した大音量の音声が出力されることがない。
【００２６】
（７）  ディジタル音楽データをアナログ変換し、該アナログ変換後の音楽データを、増幅部を介してヘッドホンコネクタに出力するとともに、前記増幅部で増幅された音楽データをディジタル変換した後、無線伝送により送信するオーディオ機器又は携帯電話の増幅部駆動能力制御方法において、無線伝送状態を検出し、前記無線伝送状態を検出した場合は、無線伝送無しの場合よりも前記増幅部出力の駆動能力を低く設定し、前記無線伝送を検出しなかった場合は、無線伝送有りの場合よりも前記増幅部出力の駆動能力を高く設定する。
【００２７】
上記方法によれば、無線伝送状態を検出しており、ヘッドホンコネクタ内の外部ヘッドホンの接続を検出するためのヘッドホン検出端子が剥離したりして接触が悪くなった場合であっても、外部ヘッドホンをヘッドホンコネクタに接続した際、無線伝送状態が無しにならなので、増幅部出力の駆動能力は低く設定されることになる。これにより、外部ヘッドホンからはユーザの意志に反した大音量の音声が出力されることがない。すなわち、ヘッドホンコネクタ内の外部ヘッドホンの接続を検出するためのヘッドホン検出端子が剥離したりして接触が悪くなった状態で外部ヘッドホンを接続しても増幅部出力の駆動能力が高くならないので、外部ヘッドホンからはユーザの意志に反した大音量の音声が出力されることがない。したがって、外部ヘッドホンのスピーカコイルが断線したり、ユーザが耳を痛めたりすることがない。
【発明の効果】
【００２８】
本発明によれば、ヘッドホンコネクタのヘッドホン検出端子が剥離したりして接触が悪くなって外部ヘッドホンの接続を検出できない状態に陥っても、外部ヘッドホンを接続した場合にユーザの意志に反した大音量の音声が外部ヘッドホンから出力されるのを防止できる。
【発明を実施するための最良の形態】
【００２９】
以下、本発明を実施するための好適な実施の形態について、図面を参照して詳細に説明する。
【００３０】
図１は、本発明の一実施の形態に係る携帯電話の音楽データ処理系の概略構成を示すブロック図である。なお、同図において前述した図８と共通する部分には同一の符号を付けてその説明を省略する。本実施の形態の携帯電話１は、親機である携帯電話本体１０と、子機である音楽再生端末１２０とから構成される。携帯電話本体１０は、制御部（増幅器制御手段）１１、記憶媒体１０２、ディジタル・アナログ変換器（ＤＡＣ）１０３、駆動能力の異なる２つの増幅器１２Ａ、１２Ｂを有する増幅部１２、アナログ・ディジタル変換器（ＡＤＣ）１０５、変調制御部１０６、Bluetooth（登録商標）モジュール１０７、アンテナ１０８及びヘッドホンコネクタ１０９を備えている。
【００３１】
増幅部１２は、駆動能力の高い増幅器（ＡＭＰ１）１２Ａと駆動能力の低い増幅器（ＡＭＰ２）１２Ｂを有するとともに、これらの増幅器１２Ａ、１２Ｂのいずれか一方を選択する選択機能を有している。図２は増幅部１２の詳細な構成を示すブロック図である。同図において、増幅部１２は、増幅器（ドライバアンプ）１２Ａ、１２Ｂの他に、前置増幅器（プリアンプ）１２Ｃと信号反転器（インバータ）１２Ｄとを有している。前置増幅器１２Ｃは、音質、音量等の調整を行える機能を有し、その入力端がディジタル・アナログ変換器１０３の出力端に接続され、出力端が増幅器１２Ａ及び１２Ｂそれぞれの入力端に接続される。増幅器１２Ａ及び１２Ｂそれぞれの出力端がアナログ・ディジタル変換器１０５及びヘッドホンコネクタ１０９の信号端子１０９ａ（図１参照）に接続される。
【００３２】
増幅器１２Ａ、１２Ｂは、外部よりオン／オフ制御可能な制御端子を有しており、これらの制御端子には制御部１１よりＡＭＰ切替信号が入力される。特に、増幅器１２Ａに対しては信号反転器１２Ｄを介して入力される。ＡＭＰ切替信号は、電圧レベルの高低により「Ｈ（Ｈｉｇｈ）」（電圧レベル高い）と「Ｌ（Ｌｏｗ）」（電圧レベル低い）の２つの値をとり、ヘッドホンコネクタ１０９に外部ヘッドホン１３０が接続されていないときには「Ｈ」となり、接続されているときには「Ｌ」となる。ＡＭＰ切替信号が「Ｈ」の値をとるときには増幅器１２Ｂが動作状態となり、「Ｌ」の値をとるときには増幅器１２Ａが動作状態となる。このように、制御部１１からのＡＭＰ切替信号の値によって増幅器１２Ａ、１２Ｂが交互に動作／非動作状態となる。なお、非動作状態となった増幅器のインピーダンスは、動作状態にある増幅器の出力インピーダンスに対して、十分に高くできる機能を有している。
【００３３】
図１に戻り、制御部１１は、記憶媒体１０２に記憶された音楽データをデコード（復号）するデコード機能と、外部ヘッドホン１３０の接続の有無に応じて、たとえ接続の有無を正常に検出できなくても無線伝送状態の有無を認識して増幅部１２の増幅器１２Ａと増幅器１２Ｂの切替えを行う増幅器制御機能と、駆動能力の低い増幅器１２Ｂを使用している間に増幅器１２Ｂの出力振幅レベルを高める出力振幅レベル拡大機能とを有している。
【００３４】
制御部１１の増幅器制御機能は、外部ヘッドホン１３０の接続を正常に検出できる場合には、ヘッドホンコネクタ１０９に外部ヘッドホン１３０が接続されていなければ駆動能力の低い増幅器１２Ｂを選択し、ヘッドホンコネクタ１０９に外部ヘッドホン１３０が接続されると駆動能力の高い増幅器１２Ａを選択する。これにより、ユーザが外部ヘッドホン１３０で音楽を聴く場合、外部ヘッドホン１３０を駆動するのに十分な増幅器１２Ａが選択されるので、十分な音量で音楽を聴くことができる。
【００３５】
また、図３に示すように、ヘッドホンコネクタ１０９のヘッドホン検出端子１０９ｃが剥離したりして接触が悪くなると、制御部１１は外部ヘッドホン１３０の接続を正常に検出することができなくなる。このような状態で、ユーザが音楽再生端末１２０にて音楽を聴いている最中に、誤って外部ヘッドホン１３０をヘッドホンコネクタ１０９に接続しても、制御部１１は無線伝送状態の有無を認識しているので、その接続を検出することができず、駆動能力の低い増幅器１２Ｂが選択されたままとなる。これにより、外部ヘッドホン１３０からはユーザの意志に反した大音量の音声が出力されることがない。
【００３６】
このように、ヘッドホンコネクタ１０９のヘッドホン検出端子１０９ｃが剥離したりして接触が悪くなっている状態で、ユーザが音楽再生端末１２０を使用して音楽を聴いている最中に誤って外部ヘッドホン１３０をヘッドホンコネクタ１０９に接続しても、駆動能力の低い増幅器１２Ｂは選択された状態のままになるので、外部ヘッドホン１３０からはユーザの意志に反した大音量の音声が出力されることがない。したがって、外部ヘッドホン１３０のスピーカコイル１３１が断線したり、大音量によってユーザが耳を痛めたりすることがない。
【００３７】
一方、制御部１１の出力振幅レベル拡大機能は、音楽再生端末１２０に向けて音楽データを伝送している間に駆動能力の低い増幅器１２Ｂの出力振幅レベルを高める機能である。駆動能力の低い増幅器１２Ｂは、出力振幅レベルが低いことからノイズの影響を受け易い。そこで、増幅器１２Ｂの出力振幅レベルを高めることでノイズの影響を受け難くなる。これにより、ＳＮ比が改善されてノイズの少ない高音質な音楽データを送信することが可能となる。
【００３８】
次に、上記構成の携帯電話１の動作を説明する。記憶媒体１０２に記憶されている音楽データが制御部１１によって読み出され、ディジタル・アナログ変換器１０３でアナログ変換される。このとき外部ヘッドホン１３０がヘッドホンコネクタ１０９に接続されていなければ、制御部１１からは「Ｈ」のＡＭＰ切替信号が出力されていることから、ディジタル・アナログ変換器１０３からのアナログの音声信号が駆動能力の低い増幅器１２Ｂに入力され増幅される。そして、増幅器１２Ｂで増幅された音声信号はアナログ・ディジタル変換器１０５でディジタル変換される。
【００３９】
そして、ディジタル変換されて得られた音楽データは変調制御部１０６で符号化し、変調されてBluetoothモジュール１０７からアンテナ１０８を介して音楽再生端末１２０へ伝送される。携帯電話本体１０から音楽再生端末１２０へ伝送された変調波信号は音楽再生端末１２０で受信されて復調及び復号化される。そして、復号化により得られた音楽データはアナログ変換されて増幅器１２５で増幅されてヘッドホン１４０へ出力される。このように、記憶媒体１０２に記憶されている音楽データが無線送信されて音楽再生端末１２０で再生され、再生された音声信号がヘッドホン１４０へ出力される。
【００４０】
外部ヘッドホン１３０で音楽を聴くために、外部ヘッドホン１３０をヘッドホンコネクタ１０９に接続すると、ヘッドホンコネクタ１０９のヘッドホン検出端子１０９ｃが接地されて、制御部１１及び変調制御部１０６にて検出される。制御部１１は、外部ヘッドホン１３０の接続を検出すると、駆動能力の低い増幅器１２Ｂから駆動能力の高い増幅器１２Ａに切替える。これにより、増幅器１２Ａで増幅された音声信号が外部ヘッドホン１３０へ出力される。
【００４１】
外部ヘッドホン１３０で音楽を聴くときは事前に音量を調整するので、外部ヘッドホン１３０からは大音量の音声が出力されることはない。すなわち、ユーザは外部ヘッドホン１３０で音楽を聴くという意志で、外部ヘッドホン１３０をヘッドホンコネクタ１０９に接続するので、音量が高く設定されていた場合は、その設定に応じた音量の音声が出力されることになるから、事前に音量調整することは明らかである。但し、音量調整を忘れることも想定できるので、駆動能力の低い増幅器１２Ｂから駆動能力の高い増幅器１２Ａに切替える前に、増幅器１２Ａにミュートをかけるようにすると良い。具体的には、増幅部１２の前置増幅器１２Ｃにて音量を絞るようにするか、ある低い値をデフォルト値として設定しておいて、そのデフォルト値に設定するようにする。
【００４２】
一方、変調制御部１０６は、外部ヘッドホン１３０を検出すると、音楽データの送信を停止する制御を行う。
【００４３】
また、ヘッドホンコネクタ１０９のヘッドホン検出端子１０９ｃが剥離したりして接触が悪くなっている状態では、音楽再生端末１２０にて音楽を聴いている最中に誤って外部ヘッドホン１３０をヘッドホンコネクタ１０９に接続しても、制御部１１及び変調制御部１０６は外部ヘッドホン１３０の接続を検出することができない。しかしながら、制御部１１が無線伝送状態の有無を認識しており、駆動能力の低い増幅器１２Ｂを選択し続けるので、外部ヘッドホン１３０を接続しても外部ヘッドホン１３０には大電流の音声信号が流れることがない。
【００４４】
このように本実施の形態の携帯電話１によれば、音楽再生端末１２０にて音楽を聴いている状況においては、駆動能力の低い増幅器１２Ｂを優先的に使用するようにしたので、ヘッドホンコネクタ１０９のヘッドホン検出端子１０９ｃが剥離したりして接触が悪くなっている状態で外部ヘッドホン１３０が接続されても、制御部１１が無線伝送状態（有り）を認識しているので、駆動能力の低い増幅器１２Ｂから駆動能力の高い増幅器１２Ａに切替わることがない。したがって、外部ヘッドホン１３０には駆動能力の低い増幅器１２Ｂからの音声信号しか入力されないので、大電流の音声信号が流れることがなく、外部ヘッドホン１３０のスピーカコイル１３１を切断させたり、ユーザの耳を痛めたりすることがない。
【００４５】
また、駆動能力の低い増幅器１２Ｂを選択している間は該増幅器１２Ｂの出力振幅レベルを高めるので、ノイズの影響を低く抑えることができ、ノイズの少ない高音質の音楽データを伝送することが可能となる。
【００４６】
なお、本実施の形態では、本発明を音楽再生端末１２０を有する携帯電話１に適用した場合であったが、同様の音楽データ処理系を有するオーディオ機器にも勿論適用可能である。
【００４７】
また、本実施の形態では、記憶媒体１０２を携帯電話本体１０に内蔵させたが、外付けとしても構わない。
【００４８】
また、本実施の形態では、増幅部１２の構成を図２に示すようにしたが、その他、図４〜図７に示す構成のものが考えられる。図４に示す構成では、外部よりオン／オフ制御可能な制御端子を有しない増幅器１２Ｅ、１２Ｆを使用し、これらの増幅器１２Ｅ、１２Ｆの出力を切替スイッチ１２Ｇにて択一的に選択する。切替スイッチ１２Ｇには、ＡＭＰ切替信号とこのＡＭＰ切替信号を信号反転器１２Ｄで反転した信号が入力される。ＡＭＰ切替信号が「Ｈ」のときは駆動能力の低い増幅器１２Ｆが選択され、ＡＭＰ切替信号が「Ｌ」のときは駆動能力の高い増幅器１２Ｅが選択される。
【００４９】
図５に示す構成では、駆動能力を可変できる増幅器１２Ｈを使用し、この増幅器１２Ｈの駆動能力をＡＭＰ切替信号で変える。ＡＭＰ切替信号が「Ｈ」のときは駆動能力が低くなり、ＡＭＰ切替信号が「Ｌ」のときは駆動能力が高くなる。
【００５０】
図６に示す構成では、動作をオン／オフ制御可能な増幅器１２Ｊと、この増幅器１２Ｊをバイパスするスイッチ１２Ｋを使用し、増幅器１２Ｊのオン／オフとスイッチ１２Ｋの開閉状態をＡＭＰ切替信号で変える。ＡＭＰ切替信号が「Ｈ」のときは、スイッチ１２Ｋが閉状態となり、増幅器１２Ｊがバイパスされる。また、増幅器１２Ｊはオフ状態となる。この状態は駆動能力の低い増幅器を選択したことに相当する。一方、ＡＭＰ切替信号が「Ｌ」のときはスイッチ１２Ｋが開状態となり、増幅器１２Ｊが信号路上に挿入される。また、増幅器１２Ｊはオン状態となる。この状態は駆動能力の高い増幅器を選択したことに相当する。
【００５１】
図７に示す構成では、増幅機能のみ有する増幅器１２Ｌと、この増幅器１２Ｌの出力側に抵抗１２Ｍを介挿するか否かを決めるスイッチ１２Ｎを使用し、スイッチ１２Ｎの開閉状態をＡＭＰ切替信号で変える。ＡＭＰ切替信号が「Ｈ」のときは、スイッチ１２Ｎが開状態となり、増幅器１２Ｌの出力側に抵抗１２Ｍが介挿される。この状態は駆動能力の低い増幅器を選択したことに相当する。一方、ＡＭＰ切替信号が「Ｌ」のときはスイッチ１２Ｎが閉状態となり、増幅器１２Ｌの出力側から抵抗１２Ｍが外される。この状態は駆動能力の高い増幅器を選択したことに相当する。
【産業上の利用可能性】
【００５２】
本発明は、ヘッドホンコネクタのヘッドホン検出端子が剥離したりして接触が悪くなって外部ヘッドホンの接続を検出できない状態に陥っても、外部ヘッドホンを接続した場合にユーザの意志に反した大音量の音声が外部ヘッドホンから出力されるのを防止できるといった効果を有し、ＣＤプレーヤ、ＭＤプレーヤなどのオーディオ機器及び携帯電話への適用が可能である。
【図面の簡単な説明】
【００５３】
【図１】本発明の一実施の形態に係る携帯電話の音楽データ処理系の概略構成を示すブロック図
【図２】図１の増幅部の詳細な構成を示すブロック図
【図３】図１の携帯電話の音楽データ処理系における動作を説明するためのブロック図
【図４】図１の増幅部の他の詳細な構成を示すブロック図
【図５】図１の増幅部の他の詳細な構成を示すブロック図
【図６】図１の増幅部の他の詳細な構成を示すブロック図
【図７】図１の増幅部の他の詳細な構成を示すブロック図
【図８】従来の携帯電話の音楽データ処理系の概略構成を示すブロック図
【図９】従来の携帯電話の音楽データ処理系における課題を説明するためのブロック図
【符号の説明】
【００５４】
１  携帯電話
１０  携帯電話本体
１１  制御部
１２  増幅部
１２Ａ、１２Ｂ、１２Ｅ、１２Ｆ、１２Ｈ、１２Ｊ、１２Ｌ、１２５  増幅器
１２Ｃ  前置増幅器
１２Ｄ  信号反転器
１２Ｇ、１２Ｋ、１２Ｎ  スイッチ
１０２  記憶媒体
１０３、１２４  ディジタル・アナログ変換器
１０５  アナログ・ディジタル変換器
１０６  変調制御部
１０７、１２２  Bluetoothモジュール
１０８、１２１  アンテナ
１０９  ヘッドホンコネクタ
１０９ａ  信号端子
１０９ｂ  グランド端子
１０９ｃ  ヘッドホン検出端子
１２０  音楽再生端末
１２３  復調制御部
１３０  外部ヘッドホン
１３０ａ  スピーカ
１３１  スピーカコイル
１４０  ヘッドホン
【図１】
2008098740.tif 000003
【図２】
2008098740.tif 000004
【図３】
2008098740.tif 000005
【図４】
2008098740.tif 000006
【図５】
2008098740.tif 000007
【図６】
2008098740.tif 000008
【図７】
2008098740.tif 000009
【図８】
2008098740.tif 000010
【図９】
2008098740.tif 000011